(57)【特許請求の範囲】
【請求項１】
分割された二つの筐体がヒンジ部を介して回動自在に連結して一体構成される折り畳み式携帯電話機において、
前記筐体の外面に着信情報表示部を配設し、前記着信情報表示部はキャラクター表示部を有し、
前記キャラクター表示部はＬＥＤをバックライトとして用いて表示し、
前記ＬＥＤを点滅させる周期をスーパーフレームを利用した間隔で点滅表示させる、ことを特徴とする折り畳み式携帯電話機。
【請求項２】
請求項１記載の折り畳み式携帯電話機において、
前記ＬＥＤを点滅させる周期は、720msec周期とすることを特徴とする折り畳み式携帯電話機。
【請求項３】
請求項１または２に記載の折り畳み式携帯電話機において、
前記着信情報表示部における前記キャラクター表示部の裏面には、ハーフコート処理が施されていることを特徴とする折り畳み式携帯電話機。
【請求項４】
請求項１乃至３いずれか１項に記載の折り畳み式携帯電話機において、
前記キャラクター表示部における前記ＬＥＤは、各種情報種別毎に表示色が変化することを特徴とする折り畳み式携帯電話機。
【請求項５】
請求項１乃至４いずれか１項に記載の折り畳み式携帯電話機において、
前記ＬＥＤの点滅表示において、点滅タイミングパターンを変化させることを特徴とする折り畳み式携帯電話機。
【請求項６】
請求項５に記載の折り畳み式携帯電話機において、
留守録と留守メッセージの確認待ちのイベントの場合は、着信中／メール受信中のイベントが発生した場合より遅い点滅としたことを特徴とする折り畳み式携帯電話機。
【請求項７】
請求項１乃至６いずれか１項に記載の折り畳み式携帯電話機において、
前記着信情報表示部と別個に、着信表示部を配設して構成することを特徴とする折り畳み式携帯電話機。
【請求項８】
請求項１乃至７いずれか１項に記載の折り畳み式携帯電話機において、
前記着信情報表示部とは別個に、筐体の外面にＬＣＤ表示部を配設して構成することを特徴とする折り畳み式携帯電話機。
【発明の詳細な説明】
【０００１】
【発明の属する技術分野】
本発明は、携帯電話機に係り、特に分割された二つの電話機筐体がヒンジ機構等により回動自在に一体構成される折り畳み式携帯電話機に係り、特に新規の着信情報の表示ができる折り畳み式携帯電話機に関するものである。ただし、本特許明細書では折り畳み式携帯電話機について述べているが、これだけに限らず、携帯無線機、ＰＨＳ、モバイル端末、トランシーバ、コードレス電話などの他の折り畳み式移動体通信端末装置についても本発明は適用できるものである。
【０００２】
【従来の技術】
従来の折り畳み式携帯電話機においては、ユーザ不在の場合の電話またはメール着信があったことを確認する際は、電話機を閉じたままではわからないので、毎回この携帯電話機を開いて見なければならなかった。その後これが改良されて、外面にＬＥＤ（発光ダイオード）を備えた折り畳み式携帯電話機が開発された。図９はその一例を示す概観図である。これによると、分割された二つの筐体（１ａ，１ｂ）がヒンジ部３を介して回動自在に連結して一体構成された折り畳み式携帯電話機であって、折り畳まれている筐体（１ａ，１ｂ）の背面または外面にＬＥＤ２（発光ダイオード）を装着させ、新着情報の受信をユーザに促すようにしたもので、電話・メールの区別についてはＬＥＤの色を変えることにより行なっていた。
【０００３】
【発明が解決しようとする課題】
しかしながら、従来の折り畳み式携帯電話機で外面に新規着信情報表示部等がなにもないものにおいては、いちいち開かなければならない煩わしさがいつでも付き纏うし、また、電話やメール等の新着情報の区別をＬＥＤの色の変化でユーザが判断するものにおいては、ＬＥＤの色がどの情報に対応するのかユーザが覚えておく必要があるうえ、色と情報との識別をユーザが間違えたり、直感的に色の判断に苦しむ場合もあり、確実性に欠ける。さらに、表示が目立たないし、インパクトにも欠けていた。
【０００４】
本発明は上記の問題点に鑑みなされたもので、折り畳み式携帯電話機をコンパクトな情報端末としてさらに有効に活用させるようにし、電話機を開けずに新着情報の確認ができ、新着情報の種類が一目でわかり、いわばユーザのための「お知らせ小窓」とでも呼べるような表示部を備え、楽しく、親しみ易く、しかも情報や表示にインパクトのある折り畳み式携帯電話機を提供することを目的とする。
【０００５】
【課題を解決するための手段】
本発明による折り畳み式携帯電話装置は、上述の課題を解決するために、次のような手段を用いる。
（１）分割された二つの筐体がヒンジ部を介して回動自在に連結して一体構成される折り畳み式携帯電話機において、
前記筐体の外面に着信情報表示部を配設し、前記着信情報表示部はキャラクター表示部を有し、
前記キャラクター表示部はＬＥＤをバックライトとして用いて表示し、
前記ＬＥＤを点滅させる周期をスーパーフレームを利用した間隔で点滅表示させる折り畳み式携帯電話機とした。
【０００６】
（２）(１)の折り畳み式携帯電話機において、
前記ＬＥＤを点滅させる周期は、720msec周期とする。
（３）(１)または(２)の折り畳み式携帯電話機において、
前記着信情報表示部における前記キャラクター表示部の裏面には、ハーフコート処理が施されている。
（４）(１)〜(３)いずれかの折り畳み式携帯電話機において、
前記キャラクター表示部における前記ＬＥＤは、各種情報種別毎に表示色が変化する。
（５）(１)〜(４)いずれかの折り畳み式携帯電話機において、
前記ＬＥＤの点滅表示において、点滅タイミングパターンを変化させる。
（６）(５)の折り畳み式携帯電話機において、
留守録と留守メッセージの確認待ちのイベントの場合は、着信中／メール受信中のイベントが発生した場合より遅い点滅とした。
（７）(１)〜(６)いずれかの折り畳み式携帯電話機において、
前記着信情報表示部と別個に、着信表示部を配設して構成する。
（８）(１)〜(７)いずれかの折り畳み式携帯電話機において、
前記着信情報表示部とは別個に、筐体の外面にＬＣＤ表示部を配設して構成する。
【０００７】
【発明の実施の形態】
以下、図１〜８を参照して本発明による折り畳み式携帯電話機の実施の形態を詳細に説明する。図１は、本発明による折り畳み式携帯電話機の実施の形態の一例を示す概観図である。また、図２は本発明による折り畳み式携帯電話機の新着情報表示部の内部構造の一例を示す断面による構造図であり、また図３は同じく内部構造の別の例を示す構造図であり、さらに図４は同じく内部構造のまた別の例を示す構造図である。図５は、本発明による折り畳み式携帯電話機の着信情報表示部内のＬＥＤ立ち上げタイミングを示す説明図である。さらに、図６は本発明による折り畳み式携帯電話機の他の実施の形態であり、開いた状態を示す概観図であり、図７は図６の電話機に備える情報表示部と着信ＬＥＤを示す概略図であり、図８は、本発明の折り畳み式携帯電話機における各種着信情報に対する情報表示体の表示およびＬＥＤ点灯の組み合わせの一例を示す一覧表である。
【０００８】
図１には、本発明による折り畳み式携帯電話機の実施の形態を示すが、従来のそれと大きく異なるのは、筐体１ａまたは筐体１ｂの外面に着信情報表示部２０を配設し、この着信情報表示部２０は各種情報種別を示すキャラクター表示部２１（ここでは２１ａ，２１ｂ，２１ｃ）を有した点である。また、情報表示部７０は、キャラクター表示やピクト表示などによる固有の表示体から構成される。
図１には具体的なキャラクター表示の一例を示し、それによると、第一のキャラクター表示部２１ａは電話の着信（音声通信）を表示し電話の図柄のキャラクター表示とし、また、第二のキャラクター表示部２１ｂは電子メール着信（メッセージ受信）を表示し紙飛行機の図柄のキャラクター表示とし、さらに第三のキャラクター表示部２１ｃはＣＢＳ着信を表示し本の図柄のキャラクター表示としている。図１に示す実施の形態では、情報の種類は３種類とし、これに対応してキャラクター表示部は（２１ａ，２１ｂ，２１ｃ）の３種類としている。
本発明においては、着信情報表示部２０の形状・色彩・配設位置・配設個数等、また、キャラクター表示部２１での表示情報の種類・表示の形状・図柄・色彩・個数等は、図１の例に限られず、この他にも種々必要に応じて任意に設計して適用すればよいことはもちろんである。
【０００９】
図２は、本発明による折り畳み式携帯電話機の着信情報表示部２０の内部を示す構造図である。本発明では、この着信情報表示部２０内のキャラクター表示部２１は、ＬＥＤ４０をバックライトとして発光させ、キャラクターが浮き上がって見えるように表示される。これにより、明瞭で楽しく効果的な表示をすることができる。このとき、このキャラクター表示部２１におけるＬＥＤ４０は、各種情報種別毎に表示色を変化させるようにすることができるが、カラフルで種別が目に入りやすく、さらに使い易くなる。そしてまた、ＬＥＤ４０を点滅表示させるようにすれば、キャラクターは一層目立って、見た目にも面白く、視覚効果は覿面である。そのうえまた、ＬＥＤ４０の点滅表示においては、点滅タイミングパターンを変化させることができるから、ますます表示や表現に変化や幅が出せることとなり、際立った視覚的効果が期待できる。
図２に示すように、これらのＬＥＤ４０(発光ダイオード)は、キャラクター表示部２１の配設位置とその数に対応して、プリント基板２７上に配置される。キャラクター層２２は、各々のキャラクターが個々に形成される層であり、ベタ（マーク部抜き文字）などで表現される。ＬＥＤ４０が発光すると、キャラクター層２２の抜いてあるところを光が通り、あらかじめ形成されているキャラクター表示等が浮き出てくる。
【００１０】
化粧パネル部２８はキャラクター表示を覆い保護するもので、アクリル、ポリカ、ポッティングなどの透明な材料もしくはスモーク材を使用して形成されるのが好ましく、キャラクター表示を視覚的に拡大して表示できるレンズ効果を持たせることができる。ここで、キャラクター表示の消灯時にはキャラクター表示が見えにくくなるような構造にするのがよい。
内設層２３は、キャラクター層２２と内接してＬＥＤ４０側に配置されるが、この層は拡散シートまたはメジウム印刷から形成される層であり、ＬＥＤ４０の目玉が直接見えてしまったりすることがないようにするとともに、キャラクターの全体を均一に光らせるような役割をする。
パネル部２５と隔壁部２６は、キャラクター表示部２１を筐体１に内設支持して表示部の保持構造を形成する。この隔壁部２６は複数のＬＥＤを設置した際、相互の光漏れ防止の仕切りとしての役割を果たす。
【００１１】
図３は本発明による折り畳み式携帯電話機の着信情報表示部の内部構造の別の例を示す構造図である。ここでの特徴は外設層２９を新たに設けたことである。この外設層２９にはハーフコート（アルミ蒸着、クロム蒸着）を用いるのがよく、ＬＥＤ４０の消灯時はミラー状になっていて中は見えないが、ＬＥＤ４０の点灯時にはミラーの中からキャラクター表示（マーク・文字等）が浮き出てくる。この外設層２９により、キャラクター表示は普段は墨のかかった状態のようになっていて見えないが、ＬＥＤ４０が点灯したときに限ってよく見えるようになる。このような、本発明による新着情報表示部の内部構造のセットでは、ハーフミラーとなるように形成するのがよい。
【００１２】
図４は、本発明による折り畳み式携帯電話機の新着情報表示部の内部構造のまた別の例を示す構造図であり、ここでの特徴は外設層２９を多重層にして内設層２３は省いたところである。多重になった外設層２９は、上層２９ａ、中間層２９ｂ、下層２９ｃとからなるサンドイッチ構造のような多重層である。各層の構成の一例としては、中間層２９はハーフコートとして、上層２９ａと下層２９ｃとはトップコート（半艶）として内設層２３（拡散シート）の代わりとなるようにするのがよい。
【００１３】
そしてまた、本発明では、ＬＥＤ４０をただ継続発光させるだけではなく、それを点滅表示させ、さらに点滅タイミングパターンを変化させることを提案しているが、視覚的効果は高いものの、点滅のやり方によっては電話機装置（ＰＤＣ）の待ち受け時間へ影響が出ることがある。そこで、点滅させる周期の一例を示せば、待ち受け時に立ち上がるタイミング（スーパーフレーム）を利用して、720msec周期、点灯時間100msecとするのが良く、こうすることで待ち受け時間への影響を少なくできる。よって、マイコン（ＣＰＵ）を起動しなくてよくなった。図５には、キャラクター表示部２１内に設置したＬＥＤ４０の立ち上げタイミングの一例を示している。
【００１４】
さらに、図６は本発明による折り畳み式携帯電話機の他の実施の形態であり、開いた状態の概略を示す。図６(１)は電話機の内面側を示し、折り畳まれたときには、内側に隠れて見えなくなり、図６(２)は電話機の外面(背面)側を示し、折り畳まれたときであっても隠れることはない。さらに図７は、図６の電話機に備える情報表示部７０と着信ＬＥＤ５０を示す概要図である。
ここでの折り畳み式携帯電話機は、分割された二つの筐体１がヒンジ部３を介して回動自在に連結して一体構成されていて、筐体１の外面に情報表示部７０を配設し、この情報表示部７０は特定の情報表示体７１(７１ｘ、７１ｙ、７１ｚ)を配置して構成され、この情報表示体７１はピクト表示するように配置構成されている。
【００１５】
図６に示す情報表示体７１は、３つのピクト表示(７１ｘ、７１ｙ、７１ｚ)が設定されて配置構成されている。一例として、これらの情報表示体(７１ｘ、７１ｙ、７１ｚ)を、<充電ピクト><J-Skyピクト><着信ピクト>の３つに割り当てる構成とし、J-Sky関連(メール・情報受信)のイベントがある場合には<J-Skyピクト>が、通常着信関連のイベントがある場合には<着信ピクト>が、充電中には<充電ピクト>が、それぞれ表示動作を行なうように設定して配置されている。また、着信ＬＥＤは上記ピクト表示に合わせて動作している。
【００１６】
携帯電話機が折り畳まれた状態でイベント情報等が発生した場合、それぞれのピクト表示の情報表示体７１を表示させる。すなわち、一例を挙げれば、J-Sky関連(メール・情報受信)のイベントがある場合には<J-Skyピクト>、通常着信関連のイベントがある場合には<着信ピクト>を表示して、さらに点滅させることによりユーザーらに通知する、という設定が可能であり、また充電中には<充電ピクト>を表示点灯させ、充電終了で消灯させることができる。
そして、筐体１の側面で折り畳んでも隠されない位置に、例えばベストボイスキー６０を設けておき、ピクト点滅がある場合、この応答キーとしてのベストボイスキー６０を押下することにより点滅を停止し（但し、充電中は除く、また押下後開けずに放置しておくとピクトの点滅を早く行なって知らせる）、新しいイベントがあったり、または開閉動作によりその時点でイベントが存在していた場合には、点滅を再開させることを可能としている。
【００１７】
また、着信中／メール、ウェブ、ステーション情報着信（受信）中のイベントが発生した場合、着信中→着信ピクト、受信中→J-Sky表示ピクトを、留守録と留守メッセージのような確認待ちのイベントとは違う点滅の仕方（例えば、着信中／メール、ウェブ、ステーション情報着信（受信）中は早い点滅で、確認待ちは遅い点滅で区別し、確認待ちは急ぐものではないので遅い点滅として消費電力を減らしている。）により、すなわち音・バイブレーションと共にユーザーらに通知することができる。この場合、点滅は着信ＬＥＤと連動(例えば同じ速さで点滅)してもしなくてもよい。連動させるとすれば、着信中／メール、ウェブ、ステーション情報着信（受信）中に開けた場合は、背面のピクト表示は消灯させ、着信ＬＥＤだけで通知するようにするとよい。
これら情報表示体７１の点灯点滅のさせ方（どのピクトを点滅させるか、背面側にあるこれら表示体７１による通知はOFFにする、など）に関する設定については、ユーザーらが自分の希望により種々変化させて設定使用することも可能であり、好みに合う表示方法により動作をさせることもできる。
【００１８】
また、図６(２)に示すように、情報表示部７０と別個に、ＬＣＤ表示部８０を外面に新たに配設して構成してもよい。このＬＣＤ表示部８０は情報の種別や内容等の具体的事項(受信したメールの内容)を表示するのに用いると便利でわかりやすくてよく、情報表示体７１の表示やＬＥＤ５０の点灯点滅とも連携動作するように構成されればなおのこと良い。
【００１９】
図８は、本発明の折り畳み式携帯電話機において、情報表示部の情報表示体(ピクト表示)による表示および着信ＬＥＤ点灯に関する具体的組み合わせの事例を示し、電話機が折り畳み状態と開いている状態とを区別して表示する、各種イベント（着信情報）に対する情報表示体・着信ＬＥＤ点灯の一覧表である。
ここでは、情報表示部７０の情報表示体７１は「おしらせピクト」という名称で呼ばれている。例えば、イベントの「通常着信」の場合を見ると、折り畳み時・開き時ともに「着信ピクト点滅・着信ＬＥＤ点滅」となっていて、このような設定でユーザーらに通知される。したがって、携帯電話を開いた状態で情報表示部が見えなくとも着信を知ることができるし、また開けると情報表示部を消灯した場合でも着信を知ることができる。
なお、図８は一例に過ぎず、情報表示体と着信ＬＥＤの表示方法については、点灯・消灯・点滅(タイミングパターンを変化させることで種々の点滅の仕方が可能)を様々に使い分けて設定することが可能である。さらに、ユーザーらが自分の希望に合う設定により動作をさせることも可能である。
図８において、通常着信、メール受信等着信ＬＥＤが同時に点滅しているイベントについては早い点滅で、その他の着信あり、留守メッセージ、未確認メールあり等は遅い点滅で報知している。
【００２０】
【発明の効果】
このように本発明によれば、次のような優れた効果を発揮する。
・従来の折り畳み式携帯電話機は筐体を閉じてしまうとただのコンパクトになってしまうが、本発明によれば、見た目にもユニークでインパクトのある携帯端末ができたし、情報端末としてさらに有効な活用ができる。
・新着情報の種類が一目でわかり、見た目にも楽しく親しみ易く便利で、いわば「お知らせ小窓」付き折り畳み式携帯電話機として、ユーザフレンドリーの製品ができる。
・使うたびにいちいち開かなければならない煩わしさを激減させる。
【図面の簡単な説明】
【図１】本発明による折り畳み式携帯電話機の実施の形態を示す概観図である。
【図２】本発明による折り畳み式携帯電話機の新着情報表示部の内部構造の一例を示す構造図である。
【図３】本発明による折り畳み式携帯電話機の新着情報表示部の内部構造の別の例を示す構造図である。
【図４】本発明による折り畳み式携帯電話機の新着情報表示部の内部構造のまた別の例を示す構造図である。
【図５】本発明による折り畳み式携帯電話機の新着情報表示部内のＬＥＤ立ち上げタイミングを示す説明図。
【図６】本発明による折り畳み式携帯電話機の他の実施の形態であり、開いた状態を示す概観図である。
【図７】本発明による折り畳み式携帯電話機に備えられる情報表示部と着信ＬＥＤを示す概要図である。
【図８】本発明の折り畳み式携帯電話機における各種イベントに対する情報表示体の表示およびＬＥＤ点灯の組み合わせ例を示す一覧表である。
【図９】従来の折り畳み式携帯電話機の一例を示す概観図。
【符号の説明】
１、１ａ、１ｂ    筐体
３      ヒンジ部
２０    着信情報表示部
２１    キャラクター表示部
２９    ハーフコート処理が施された層
４０    ＬＥＤ（発光ダイオード）
５０    着信ＬＥＤ表示部
７０    情報表示部
７１、７１ｘ、７１ｙ、７１ｚ    情報表示体
８０    ＬＣＤ表示部
【図１】
0003830081.tif 000002
【図２】
0003830081.tif 000003
【図３】
0003830081.tif 000004
【図４】
0003830081.tif 000005
【図５】
0003830081.tif 000006
【図６】
0003830081.tif 000007
【図７】
0003830081.tif 000008
【図８】
0003830081.tif 000009
【図９】
0003830081.tif 000010